(57)【要約】【課題】  スラットカーテンの巻取不良を防止しながら、製作容易性、施工性、メンテナンス性の向上を図る。【解決手段】  スラットカーテン５の巻き太りを規制する巻取調整機構６１を具備したシャッター装置１００であって、巻取調整機構６１が、スラットカーテン５の上部に一端６３ａが固定されるベルト６３と、ベルト６３の他端６３ｂが固定されるベルト巻取軸６５と、ベルト巻取軸６５を巻き取り回転方向に付勢することでベルト６３に張力を付与する付勢手段６７と、ベルト巻取軸６５を開口部３の上部に回動自在に支持固定する平行ブラケット６９と、平行ブラケット６９と別体で形成されかつ平行ブラケット６９に対し直交する方向で開口部３の上部に固定されてベルト巻取軸６５とスラットカーテン５との間のベルト６３が掛け渡されるベルトガイド用ブラケット７１とからなる。【選択図】      図１
2005248614.tif 000002
【特許請求の範囲】
【請求項１】
横方向に長い上下で隣接する複数のスラットを連結してなるスラットカーテンと、開口部の間口方向両側に設けられ該スラットカーテンの昇降を案内するガイドレールと、開口部の上部に配置され前記スラットカーテンを巻き取る巻取機構と、該巻取機構に巻き取られるスラットカーテンの巻き太りを規制する巻取調整機構とを具備したシャッター装置であって、
前記巻取調整機構が、
閉鎖状態におけるスラットカーテンの上部に一端が固定されるベルトと、
スラットカーテンを巻き取るシャフトと同方向で開口部の上部に回動自在に配置され前記ベルトの他端が固定されるベルト巻取軸と、
該ベルト巻取軸に付設され該ベルト巻取軸を巻き取り回転方向に付勢することで前記ベルトに張力を付与する付勢手段と、
前記ベルト巻取軸を開口部の上部に回動自在に支持固定する平行ブラケットと、
該平行ブラケットと別体で形成されかつ該平行ブラケットに対して所定間隔離間し、前記ベルト巻取軸の軸線に直交する方向で固定されて、前記ベルト巻取軸と前記スラットカーテンとの間の前記ベルトが掛け渡されるベルトガイド用ブラケットと、
を具備したことを特徴とするシャッター装置。
【請求項２】
横方向に長い上下で隣接する複数のスラットを連結してなるスラットカーテンと、開口部の間口方向両側に設けられ該スラットカーテンの昇降を案内するガイドレールと、開口部の上部に配置され前記スラットカーテンを巻き取る巻取機構と、該巻取機構に巻き取られるスラットカーテンの巻き太りを規制する巻取調整機構とを具備したシャッター装置であって、
前記巻取調整機構が、
閉鎖状態におけるスラットカーテンの上部に一端が固定されるベルトと、
スラットカーテンを巻き取るシャフトと同方向で開口部の上部に回動自在に配置され前記ベルトの他端が固定されるベルト巻取軸と、
該ベルト巻取軸に付設され該ベルト巻取軸を巻き取り回転方向に付勢することで前記ベルトに張力を付与する付勢手段と、
前記ベルト巻取軸を開口部の上部に回動自在に支持固定する平行ブラケットと、
該平行ブラケットと別体で形成されかつ該平行ブラケットに対して略垂下方向に所定間隔離間し、前記ベルト巻取軸の軸線に直交する方向で開口部の上部に固定されて、前記ベルト巻取軸と前記スラットカーテンとの間の前記ベルトが折り返されるように掛け渡されるベルトガイド用ブラケットと、
を具備したことを特徴とするシャッター装置。
【請求項３】
前記ベルトガイド用ブラケットには、前記平行ブラケットとの間に位置して、前記ベルト巻取軸と前記ベルトガイド用ブラケットとの間にて前記ベルトの両側縁に摺接自在となって該ベルトの前記ベルト巻取軸に対する巻き取り・巻き戻しを案内するガイド片が配設されていることを特徴とする請求項１又は２記載のシャッター装置。
【請求項４】
前記ベルトガイド用ブラケットと前記平行ブラケットとの間に位置し、前記ベルト巻取軸と前記ベルトガイド用ブラケットとの間にて前記ベルトの両側縁に摺接自在となって該ベルトの前記ベルト巻取軸に対する巻き取り・巻き戻しを案内するガイド片が配設されていることを特徴とする請求項１又は２記載のシャッター装置。
【請求項５】
横方向に長い上下で隣接する複数のスラットを連結してなるスラットカーテンと、開口部の間口方向両側に設けられ該スラットカーテンの昇降を案内するガイドレールと、開口部の上部に配置され前記スラットカーテンを巻き取る巻取機構と、該巻取機構に巻き取られるスラットカーテンの巻き太りを規制する巻取調整機構とを具備したシャッター装置であって、
前記巻取調整機構が、
閉鎖状態におけるスラットカーテンの上部に一端が固定されるベルトと、
スラットカーテンを巻き取るシャフトと同方向で開口部の上部に回動自在に配置され前記ベルトの他端が固定されるベルト巻取軸と、
該ベルト巻取軸に付設され該ベルト巻取軸を巻き取り回転方向に付勢することで前記ベルトに張力を付与する付勢手段と、
前記ベルト巻取軸を開口部の上部に回動自在に支持固定するとともに、前記ベルト巻取軸の軸線に直交する方向に延出するベース部を備えたブラケットと、
該ブラケットの前記ベルト巻取軸に対して所定間隔離間した前記ベース部の端部近傍に、該ベルト巻取軸と略平行に配設されて、前記ベルト巻取軸と前記スラットカーテンとの間の前記ベルトが掛け渡されるベルトガイドローラと、
前記ブラケットのベース部に配設され、前記ベルトの両側縁に摺接自在となって該ベルトの前記ベルト巻取軸に対する巻き取り・巻き戻しを案内するガイド片と、
を具備したことを特徴とするシャッター装置。
【請求項６】
横方向に長い上下で隣接する複数のスラットを連結してなるスラットカーテンと、開口部の間口方向両側に設けられ該スラットカーテンの昇降を案内するガイドレールと、開口部の上部に配置され前記スラットカーテンを巻き取る巻取機構と、該巻取機構に巻き取られるスラットカーテンの巻き太りを規制する巻取調整機構とを具備したシャッター装置であって、
前記巻取調整機構が、
閉鎖状態におけるスラットカーテンの上部に一端が固定されるベルトと、
スラットカーテンを巻き取るシャフトと同方向で開口部の上部に回動自在に配置され前記ベルトの他端が固定されるベルト巻取軸と、
該ベルト巻取軸に付設され該ベルト巻取軸を巻き取り回転方向に付勢することで前記ベルトに張力を付与する付勢手段と、
前記ベルト巻取軸を開口部の上部に回動自在に支持固定するとともに、前記ベルト巻取軸の軸線に直交し垂下方向に延出するベース部を備えたブラケットと、
該ブラケットの前記ベルト巻取軸に対して所定間隔離間した前記ベース部の下端部近傍に、該ベルト巻取軸と略平行に配設されて、前記ベルト巻取軸と前記スラットカーテンとの間の前記ベルトが折り返されるように掛け渡されるベルトガイドローラと、
前記ブラケットのベース部に配設され、前記ベルトの両側縁に摺接自在となって該ベルトの前記ベルト巻取軸に対する巻き取り・巻き戻しを案内するガイド片と、
を具備したことを特徴とするシャッター装置。
【請求項７】
前記ガイド片は、前記ベルト巻取軸の軸線に対して直交する方向に前記ベルトが案内されるように配設されることを特徴とする請求項３，４，５，６のいずれか１つに記載のシャッター装置。
【請求項８】
前記ベルトが細幅織物よりなることを特徴とする請求項１，２，３，４，５，６，７のいずれか１つに記載のシャッター装置。
【発明の詳細な説明】
【技術分野】
【０００１】
本発明は、開閉するスラットカーテンの巻き太りを規制する巻取調整機構を備えたシャッター装置に関し、特に巻取調整機構の躯体側への取り付け施工性、メンテナンス性を向上させる改良技術に関する。
【背景技術】
【０００２】
従来、開口部を開閉するシャッター装置は、左右横方向に長い短冊板状の複数の細板であるスラットを、上下方向に連結して所謂スラットカーテンを形成し、このスラットカーテンの上端を開口部の上部に設けた巻取機構によって巻き取り・巻き戻すことにより開口部を開閉していた。近年、この種のシャッター装置では、一層の開閉高速性、静粛性の要請があった。ところが、従来のシャッター装置は、スラット同士を接触させながらスラットカーテンを巻き取っていたため、騒音が発生するとともに、摩擦傷や磨耗発生の点から高速化に限界を有していた。
【０００３】
これらの課題を解消し、静粛かつ高速な巻き取りを可能としたロールアップ式ゲートが下記特許文献１に開示されている。このロールアップ式ゲートは、静粛性、高速開閉を実現するための種々の工夫が凝らされている。例えばスラットの長手方向両端には略半月形状のスラット端部品が取付けられ、上下に隣接するスラット端部品同士が連結され、かつスラット端部品の厚みはスラットの厚みより厚く設定されている。スラットカーテンは、巻き取り時、この両端のスラット端部品が巻き取られ、スラットカーテンの両側で巻回されて行くことで、スラット端部品によってスラットの両端のみが支持されて巻かれる。このとき、スラットは、スラット端部品よりも薄厚であるので、巻回状態においても相互に接触することがなく、磨耗や騒音を生じさせずに高速な巻取りが可能となる。
【０００４】
ところで、上記したロールアップ式ゲートでは、スラットの両端のみが支持されて巻かれるため、特に高速での巻き取り時に、スラットカーテンの幅方向中央部が遠心力によってたる状に膨らむ巻き太りを発生することがある。このような巻き太りが発生すれば、スラットカーテンの側縁部がガイドレールから抜け出てしまったり、膨らみによって突出したスラットカーテンの幅方向中央部が、収納部の内壁面に当り、損傷するおそれがあり、さらには、スラット同士の嵌め合い部分に設けられているシール材が外れてしまうおそれもあった。
【０００５】
そこで、上記のロールアップ式ゲートでは、シャフトに巻回されるスラットカーテンの巻き太りを抑止する図８に示すテンション装置１０１が設けられている。テンション装置１０１は、閉鎖状態における図示しないスラットカーテンの上部に一端１０３ａが固定されるベルト１０３と、スラットカーテンを巻き取る図示しないシャフトと同方向で開口部の上部に回動自在に配置されベルト１０３の他端１０３ｂが固定されるベルト巻取軸１０５と、ベルト巻取軸１０５に付設されベルト巻取軸１０５を回転方向に付勢することでベルト１０３に張力を付与する付勢手段であるコイルバネ１０７と、ベルト巻取軸１０５を開口部の上部に回動自在に支持固定するブラケット１０９とを備えてなる。ブラケット１０９は、水平ブラケット部１０９ａと、水平ブラケット１０９に対し直交する方向で連結された垂直ブラケット部１０９ｂとによってＬ字状に形成される。ブラケット１０９は、開口部の上部に固定され、垂直ブラケット部１０９ｂに設けられたベルトガイドローラ１１１に、ベルト巻取軸１０５とスラットカーテンとの間のベルト１０３が掛け渡され、ベルト１０３の張架方向を転換させている。
【０００６】
このテンション装置１０１を備えることで、ロールアップ式ゲートは、スラットカーテンの巻き取り／巻き戻し時に、ベルト１０３も一緒にスラットカーテンの幅方向中央部分で巻き取り／巻き戻しされる。これにより、巻回されるスラットカーテンの中央部分に、ベルト３の張力による巻き締め方向の力を作用させ、スラットカーテンの巻き太りを抑止していた。
【０００７】
【特許文献１】特表２００３−５２７５１３号公報
【発明の開示】
【発明が解決しようとする課題】
【０００８】
しかしながら、従来のロールアップ式ゲートに備えられるテンション装置は、ベルト巻取軸を回動自在に支持する水平ブラケット部と、ベルトガイドローラを有した垂直ブラケット部とがＬ字状に一体形成されていたため、製造誤差等によって、水平ブラケット部と垂直ブラケット部とが正しく所定角度になっていない場合、或いは水平ブラケット部と垂直ブラケット部とが水平／垂直に取り付け施工されていない場合には、ベルト巻取軸にベルトがずれて巻回され、ベルトの巻取不良が発生し、この巻取不良が定常化したり、或いはベルトが変形するなどの虞があった。
また、保守点検によって、或いはベルトの巻取不良によって装置交換が必要になった場合においても、同様に水平ブラケット部と垂直ブラケット部とが水平／垂直に取り付け施工されなればならなかった。そのため、ブラケットの製作、ブラケットに対する各部品の組付け、及びブラケットの取付施工に、高い精度が強いられることになり、生産性、施工性及びメンテナンス性を低下させていた。
【０００９】
本発明は上記状況に鑑みてなされたもので、製造誤差や搬送途中の変形などが起こってしまった場合においても、厳格な正確性を求めることなく取付施工を行うことを可能とするシャッター装置を提供し、もって、巻取不良を防止しながら、製作容易性、施工性、メンテナンス性の向上を図ることを目的とする。
【課題を解決するための手段】
【００１０】
次に、上記の課題を解決するための手段を、実施の形態に対応する図面を参照して説明する。
本発明の請求項１記載のシャッター装置１００は、横方向に長い上下で隣接する複数のスラット５ａを連結してなるスラットカーテン５と、開口部３の間口方向両側に設けられ該スラットカーテン５の昇降を案内するガイドレール３１と、開口部３の上部に配置され前記スラットカーテン５を巻き取る巻取機構４と、該巻取機構４に巻き取られるスラットカーテン５の巻き太りを規制する巻取調整機構６１とを具備したシャッター装置であって、
前記巻取調整機構６１が、
閉鎖状態におけるスラットカーテン５の上部に一端６３ａが固定されるベルト６３と、
スラットカーテン５を巻き取るシャフト２３と同方向で開口部３の上部に回動自在に配置され前記ベルト６３の他端６３ｂが固定されるベルト巻取軸６５と、
該ベルト巻取軸６５に付設され該ベルト巻取軸６５を巻き取り回転方向に付勢することで前記ベルト６３に張力を付与する付勢手段６７と、
前記ベルト巻取軸６５を開口部３の上部に回動自在に支持固定する平行ブラケット６９と、
該平行ブラケット６９と別体で形成されかつ該平行ブラケット６９に対して所定間隔離間し、前記ベルト巻取軸６５の軸線に直交する方向で固定されて、前記ベルト巻取軸６５と前記スラットカーテン５との間の前記ベルト６３が掛け渡されるベルトガイド用ブラケット７１と、
を具備したことを特徴とする。
【００１１】
このシャッター装置１００では、躯体側に取り付けられた巻取機構４のシャフト２３に対して、平行となるように先ず平行ブラケット６９が躯体側に固定される。次いで、平行ブラケット６９と別体となったベルトガイド用ブラケット７１が、この平行ブラケット６９から離間し平行ブラケット６９に直交する方向で例えば開口部３の上部などに固定可能となる。つまり、平行ブラケット６９とベルトガイド用ブラケット７１が、単独で位置決め、取付施工可能となる。これにより、従来のＬ形ブラケットのように、製造誤差や搬送途中の変形、或いは施工時の誤差などによって、平行ブラケット６９及びベルトガイド用ブラケット７１が所定角度に誤差の生じたまま取り付けられることがなくなり、シャフト２３に対してベルトガイド用ブラケット７１が調整可能であり、これらが直交方向でより精度よく位置決め可能となり、ベルト巻取軸６５に巻回されるベルト６３に巻きずれの発生を抑止する。
【００１２】
本発明の請求項２記載のシャッター装置１００は、横方向に長い上下で隣接する複数のスラット５ａを連結してなるスラットカーテン５と、開口部３の間口方向両側に設けられ該スラットカーテン５の昇降を案内するガイドレール３１と、開口部３の上部に配置され前記スラットカーテン５を巻き取る巻取機構４と、該巻取機構４に巻き取られるスラットカーテン５の巻き太りを規制する巻取調整機構６１とを具備したシャッター装置１００であって、
前記巻取調整機構６１が、
閉鎖状態におけるスラットカーテン５の上部に一端６３ａが固定されるベルト６３と、
スラットカーテン５を巻き取るシャフト２３と同方向で開口部３の上部に回動自在に配置され前記ベルト６３の他端６３ｂが固定されるベルト巻取軸６５と、
該ベルト巻取軸６５に付設され該ベルト巻取軸６５を巻き取り回転方向に付勢することで前記ベルト６３に張力を付与する付勢手段６７と、
前記ベルト巻取軸６５を開口部３の上部に回動自在に支持固定する平行ブラケット６９と、
該平行ブラケット６９と別体で形成されかつ該平行ブラケット６９に対して略垂下方向に所定間隔離間し、前記ベルト巻取軸６５の軸線に直交する方向で開口部３の上部に固定されて、前記ベルト巻取軸６５と前記スラットカーテン５との間の前記ベルト６３が折り返されるように掛け渡されるベルトガイド用ブラケット７１と、
を具備したことを特徴とする。
【００１３】
このシャッター装置１００では、躯体側に取り付けられた巻取機構４のシャフト２３に対して、平行となるように先ず平行ブラケット６９が躯体側に固定される。次いで、平行ブラケット６９と別体となったベルトガイド用ブラケット７１が、この平行ブラケット６９に対して離間した垂下方向の位置に平行ブラケット６９に直交する方向で開口部３の上部に固定可能となる。つまり、平行ブラケット６９とベルトガイド用ブラケット７１が、単独で位置決め、取付施工可能となる。これにより、従来のＬ形ブラケットのように、製造誤差や搬送途中の変形、或いは施工時の誤差などによって、平行ブラケット６９及びベルトガイド用ブラケット７１が所定角度に誤差の生じたまま取り付けられることがなくなり、シャフト２３に対してベルトガイド用ブラケット７１が調整可能であり、これらが直交方向でより精度よく位置決め可能となり、ベルト巻取軸６５に巻回されるベルト６３に巻きずれの発生を抑止する。
【００１４】
本発明の請求項３記載のシャッター装置１００は、請求項１又は２記載のシャッター装置において、前記ベルトガイド用ブラケット７１には、前記平行ブラケット６９との間に位置して、前記ベルト巻取軸６５と前記ベルトガイド用ブラケット７１との間にて前記ベルト６３の両側縁に摺接自在となって該ベルト６３の前記ベルト巻取軸６５に対する巻き取り・巻き戻しを案内するガイド片１７３が配設されていることを特徴とする。
【００１５】
このシャッター装置では、ベルトガイド用ブラケット７１に設けられたガイド片１７３により、ベルト巻取軸６５に対する巻き取り或いは巻き戻しの際に、ベルト６３が偏心するようなことがあっても、ガイド片１７３に摺接することで、その移動位置を補正されることとなる。これにより巻取不良などを防止することが可能となる。
【００１６】
本発明の請求項４記載のシャッター装置１００は、請求項１又は２記載のシャッター装置において、前記ベルトガイド用ブラケット７１と前記平行ブラケット６９との間に位置し、前記ベルト巻取軸６５と前記ベルトガイド用ブラケット７１との間にて前記ベルト６３の両側縁に摺接自在となって該ベルト６３の前記ベルト巻取軸６５に対する巻き取り・巻き戻しを案内するガイド片１７３が配設されていることを特徴とする。
【００１７】
このシャッター装置では、ベルトガイド用ブラケット７１と平行ブラケット６９との間に設けられたガイド片１７３により、ベルト巻取軸６５に対する巻き取り或いは巻き戻しの際に、ベルト６３が偏心するようなことがあっても、ガイド片１７３に摺接することで、その移動位置を補正されることとなる。これにより巻取不良などを防止することが可能となる。また、このシャッター装置によれば、ガイド片１７３が、平行ブラケット６９とベルトガイド用ブラケット７１とは別体で構成され、これにより、このガイド片１７３にて取付誤差の吸収を行え、すなわち、平行ブラケット６９やベルトガイド用ブラケット７１の取付誤差があった場合に、このガイド片１７３の位置を調整することで、ベルト６３の巻き取りの偏りなどを補正することが可能となり、巻取不良の発生を抑えることが可能となる。
【００１８】
本発明の請求項５記載のシャッター装置１００は、横方向に長い上下で隣接する複数のスラットを連結してなるスラットカーテン５と、開口部３の間口方向両側に設けられ該スラットカーテン５の昇降を案内するガイドレール３１と、開口部３の上部に配置され前記スラットカーテン５を巻き取る巻取機構４と、該巻取機構４に巻き取られるスラットカーテン５の巻き太りを規制する巻取調整機構１６１とを具備したシャッター装置であって、
前記巻取調整機構１６１が、
閉鎖状態におけるスラットカーテン５の上部に一端６３ａが固定されるベルト６３と、
スラットカーテン５を巻き取るシャフト２３と同方向で開口部３の上部に回動自在に配置され前記ベルト６３の他端６３ｂが固定されるベルト巻取軸６５と、
該ベルト巻取軸６５に付設され該ベルト巻取軸６５を巻き取り回転方向に付勢することで前記ベルト６３に張力を付与する付勢手段６７と、
前記ベルト巻取軸６５を開口部３の上部に回動自在に支持固定するとともに、前記ベルト巻取軸６５の軸線に直交する方向に延出するベース部１７１を備えたブラケット１６９と、
該ブラケット１６９の前記ベルト巻取軸６５に対して所定間隔離間した前記ベース部１７１の端部近傍に、該ベルト巻取軸６５と略平行に配設されて、前記ベルト巻取軸６５と前記スラットカーテン５との間の前記ベルト６３が掛け渡されるベルトガイドローラ７７と、
前記ブラケット１６９のベース部１７１に配設され、前記ベルト６３の両側縁に摺接自在となって該ベルト６３の前記ベルト巻取軸６６に対する巻き取り・巻き戻しを案内するガイド片１７３と、
を具備したことを特徴とする。
【００１９】
このシャッター装置１００では、躯体側に取り付けられた巻取機構４のシャフト２３に対して、ベルト巻取軸６５を同方向となるようにブラケット１６９を躯体側に固定する。これにより、ベルト巻取軸６５とベルトガイドローラ７７とが、１つのブラケット１６９で位置決め、取付施工可能となる。そして、これらベルト巻取軸６５とベルトガイドローラ７７との間にガイド片１７３が配置され、このガイド片１７３がベルト６３の移動の際の位置補正を行う。このことから、例えばブラケット１６９の取付施工時にシャフト２３に対する平行度合い・所定角度度合いの誤差が生じたままで取り付けられていても、ベルト巻取軸６５に巻回されるベルト６３は巻きずれが発生しにくくなる。
【００２０】
本発明の請求項６記載のシャッター装置１００は、横方向に長い上下で隣接する複数のスラット５ａを連結してなるスラットカーテン５と、開口部３の間口方向両側に設けられ該スラットカーテン５の昇降を案内するガイドレール３１と、開口部３の上部に配置され前記スラットカーテン５を巻き取る巻取機構４と、該巻取機構４に巻き取られるスラットカーテン５の巻き太りを規制する巻取調整機構１６１とを具備したシャッター装置であって、
前記巻取調整機構１６１が、
閉鎖状態におけるスラットカーテン５の上部に一端６３ａが固定されるベルト６３と、
スラットカーテン５を巻き取るシャフト２３と同方向で開口部３の上部に回動自在に配置され前記ベルト６３の他端６３ｂが固定されるベルト巻取軸６５と、
該ベルト巻取軸６５に付設され該ベルト巻取軸６５を巻き取り回転方向に付勢することで前記ベルト６３に張力を付与する付勢手段６７と、
前記ベルト巻取軸６５を開口部３の上部に回動自在に支持固定するとともに、前記ベルト巻取軸６５の軸線に直交し垂下方向に延出するベース部１７１を備えたブラケット１６９と、
該ブラケット１６９の前記ベルト巻取軸６５に対して所定間隔離間した前記ベース部１７１の下端部近傍に、該ベルト巻取軸６５と略平行に配設されて、前記ベルト巻取軸６５と前記スラットカーテン５との間の前記ベルト６３が折り返されるように掛け渡されるベルトガイドローラ７７と、
前記ブラケット１６９のベース部１７１に配設され、前記ベルト６３の両側縁に摺接自在となって該ベルト６３の前記ベルト巻取軸６５に対する巻き取り・巻き戻しを案内するガイド片１７３と、
を具備したことを特徴とする。
【００２１】
このシャッター装置１００では、躯体側に取り付けられた巻取機構４のシャフト２３に対して、ベルト巻取軸６５を同方向となるようにブラケット１６９を躯体側に固定する。これにより、ベルト巻取軸６５とベルトガイドローラ７７とが、１つのブラケット１６９でベルトガイドローラ７７は垂下方向となって、位置決め、取付施工可能となる。そして、これらベルト巻取軸６５とベルトガイドローラ７７との間にガイド片１７３が配置され、このガイド片１７３がベルト６３の移動の際の位置補正を行う。このことから、例えばブラケット１６９の取付施工時にシャフト２３に対する平行度合い・所定角度度合いの誤差が生じたままで取り付けられていても、ベルト巻取軸６５に巻回されるベルト６３は巻きずれが発生しにくくなる。
【００２２】
本発明の請求項７記載のシャッター装置１００は、請求項３，４，５，６のいずれか１つに記載のシャッター装置において、前記ガイド片１７３は、前記ベルト巻取軸６５の軸線に対して直交する方向に前記ベルト６３が案内されるように配設されることを特徴とする。
【００２３】
このシャッター装置では、ガイド片１７３によって、ベルト６３が、ベルト巻取軸６５に、略偏心せず略真直に巻き取られることとなる。これにより、ベルト６３の巻き癖や変形を起こすことが抑止される。
【００２４】
本発明の請求項８記載のシャッター装置１００は、請求項１，２，３，４，５，６，７のいずれか１つに記載のシャッター装置において、前記ベルト６３が細幅織物よりなることを特徴とする。
【００２５】
このシャッター装置では、ベルト６３を細幅織物とすることで、樹脂コーティングなどが施されたベルトに比べ、劣化などによる変形や塵埃の発生などが減少し、例えば、ポリエステル繊維等を素材として形成され、柔軟性、屈曲性、強度、低伸縮性、耐摩耗性、耐薬品性、耐燃性などが良好なものとすることで、張力が大きく掛かった場合に癖がつくなどの不具合がなく、また、滑り性も良好となる。すなわち、細幅織物よりなるベルト６３とすることで、上記したガイド片１７３による巻取状態の補正が行われやすくなり、このベルト６３とガイド片１７３との組合せで、より巻取状態が偏ることが防げる。
【発明の効果】
【００２６】
本発明に係るシャッター装置によれば、ベルト巻取軸を平行ブラケットによって開口部の上部に回動自在に支持固定し、ベルト巻取軸とスラットカーテンとの間のベルトが掛け渡され、平行ブラケットに対し直交する方向で開口部の上部に固定されるベルトガイド用ブラケットを、平行ブラケットと別体で形成したので、水平に取り付けられた巻取機構のシャフトに対して、平行となるように先ず平行ブラケットを躯体側に固定し、次いでこの平行ブラケットに直交する方向でベルトガイド用ブラケットを開口部の上部に別途に固定することができ、平行ブラケットとベルトガイド用ブラケットの単独の位置決め、取付施工が可能となる。これにより、従来のＬ形ブラケットのように、製造誤差や搬送途中の変形などによって、平行ブラケット及びベルトガイド用ブラケットが所定角度に誤差の生じたまま取り付けられることを防止できる。この結果、巻取不良を防止しながら、製作容易性、施工性、メンテナンス性を向上させることができる。
【００２７】
また、ガイド片を設けた構成とすることで、ベルトの巻取時に、ベルトはその移動をガイド片に支持され、偏心状態で巻き取られるようなことが起きず、すなわち、巻き取り時にベルトがその方向を補正されるようになり、巻取不良の発生が防止され、ベルトの巻き癖や変形などの発生が抑止される。また、このことから、平行ブラケット及びベルトガイド用ブラケットの取付状態に、厳格な正確さを求めることなく、その取付施工等を行うことができ、メンテナンス性なども向上することとなる。
【００２８】
さらに、このようなガイド片を備えることで、ベルト巻取軸の支持固定されるブラケットが、製作時或いは取付時に正確性を失うことがあっても、ベルトが巻き乱れることなくベルト巻取軸に巻き取られることとなり、従来のような高い精度が強いられることがない。このことから、１つのブラケットにベルト巻取軸とベルトガイドローラを配置する構成であってもよく、巻取調整機構としての製作性が容易となり、またメンテナンス性も向上することとなる。
【００２９】
また、ベルト巻取軸とベルトガイド用ブラケットとガイド片とを、それぞれ別体構成とすることで、個別の調整が可能となり、ベルト巻取軸へのベルトの巻取状態の調整等を行うことができ、また、各部ごとの交換など、それぞれを個別にメンテナンス可能とすることができる。
【発明を実施するための最良の形態】
【００３０】
以下、本発明に係るシャッター装置の好適な実施の形態を図面を参照して詳細に説明する。
第１の実施の形態
図１は本発明に係る第１の実施の形態のシャッター装置の概略の構成を表す正面図、図２は図１に示した巻取機構の拡大側面図、図３は図２に示した巻取調整機構の拡大斜視図である。
【００３１】
先ず、本実施の形態によるシャッター装置１００の基本的な構成について説明する。躯体側である建物の壁１には開口部３が設けられている。壁１の屋内側面の開口上方には巻取機構４を収納する収納部７が取付けられている。巻取機構４は、開閉体であるスラットカーテン５を巻き取る。収納部７は、例えばチャンネル材からなる枠体９によって直方体状に形成され、各面に図示しない外装パネルが取り付けられている。枠体９は、開口部３の間口方向左右の各側部に、壁１に対し垂直に延在する図２に示す上枠１１と、下枠１３とを有している。
【００３２】
上枠１１と下枠１３との間には、矩形板状の可動板１６が配置されている。可動板１６の下部には、下枠１３の上面を転動する一対の転動ローラ対１７，１７が、下枠１３の長手方向に離間されて２組配設されている。このうち、例えば１組の転動ローラ対１７の軸には結合板１９が取り付けられ、結合板１９の下端には転動ローラ対１７とで下枠１３を挟持する下部ローラ２１が回動自在に取り付けられている。つまり、可動板１６は、下枠１３を転動ローラ対１７と下部ローラ２１とによって上下から挟持しながら、下枠の延在方向である壁１に対し垂直な方向に移動自在に設けられている。
【００３３】
この可動板１６には、壁１に平行かつ水平方向に延在するシャフト２３の両端が回動自在に支持されている。シャフト２３の一端には減速装置であるギヤボックス２５を介して、開閉機（駆動モータ）２７が接続されている。開閉機２７、ギヤボックス２５は、可動板１６に支持固定される。従って、開閉機２７が駆動されると、その回転がギヤボックス２５により減速され、シャフト２３が巻き取り・巻き戻し方向へ回転駆動されるようになっている。シャフト２３の両端には、スラットカーテン５を巻回する巻取板２９，２９が固設されている。
【００３４】
開口部３の間口方向両側には、収納部７を固定支持する一対のサイドフレーム３０，３０が建物躯体に溶接固定される。それぞれのサイドフレーム３０，３０には、スラットカーテン５をガイドするためのガイドレール３１が取付けられている。それぞれの巻取板２９，２９は、ガイドレール３１の延長線上の上方に位置する。巻取板２９，２９は、外円周の一部に、半径方向に高低差を形成した段部３３を有している。この段部３３の高さはスラットカーテン５を構成する後述のスラット端部品の厚さと略同等に設定されている。
【００３５】
巻取板２９，２９の段部３３には、スラットカーテン５の上端が接続固定部材３２を介して連結される。スラットカーテン５は、巻取板２９，２９に渦巻き状に巻き取られて開口部３を開放し、また、巻取板２９から繰り出されることで開口部３を閉鎖する。
【００３６】
巻取板２９，２９の外方となるシャフト２３の両端には、小スプロケット３４が固設されている。また、可動板１６には、小スプロケット３４の下方に大スプロケット４１が回動自在に設けられ、この大スプロケット４１と小スプロケット３４との間にはチェーン３６が掛け渡されている。大スプロケット４１を可動板１６に回動自在に支持した回動軸４５には、図示しない移動用スプロケットが固設される。また、可動板１６には、移動用スプロケットに対し離間して従動スプロケット４９が回動自在に設けられている。この移動用スプロケットと従動スプロケット４９との間には移動用チェーン５１が掛け渡され、移動用チェーン５１は一部分が下枠１３に固定されている。
【００３７】
従って、開閉機２７が駆動され、ギヤボックス２５を介してシャフト２３が回転すると、チェーン３６を介して大スプロケット４１が回転し、大スプロケット４１の回転により移動用スプロケットが回転される。これにより、一部分が固定状態にある移動用チェーン５１上を、移動用スプロケットが転動しながら移動することとなり、これに伴って可動板１６が下枠１３の延在方向に往復移動されるようになっている。
【００３８】
シャフト２３が例えば巻き取り方向に回転されると、巻取板２９，２９にスラットカーテン５が巻き取られ、スラットカーテン５の外径が大きくなる。すなわち、シャフト２３の一回転によって、スラットカーテン５の略厚み分外径が増加する。スラットカーテン５は、外径が増加した分、外径位置がガイドレール３１の呑み込み部３１ａと一致するように、小スプロケット３４と大スプロケット４１との歯数比が所定の値に設定されている。つまり、外径の増加分だけ可動板１６、すなわち、シャフト２３が移動されるようになっている。
【００３９】
このように、シャッター装置１００は、シャフト２３を移動させる軸芯移動機構を備えているので、スラットカーテン５を常に垂直に昇降させ、高速な開閉を可能にしている。また、巻取板２９、２９は、スラットカーテン５を構成する後述のスラット端部品のみを巻き取り、スラットカーテン５を左右両縁のみで巻き取る。従って、スラット５ａ同士が触れ合うことがなく、スラット５ａ表裏面への接触傷などが発生しない。また、合成樹脂製のスラット端部品が巻取板２９、２９に巻き取り・巻は戻されるので、その接触音などが大きくならず、特にスラット端部品の背面側に軟質な樹脂（緩衝層）を設けたことから、開閉時の接触音の低減化が図れ、動作音の抑止された開閉動作が可能となっている。
【００４０】
シャッター装置１００は、この高速な開閉を高信頼性の元に実現させるための種々の補機を備えている。例えばシャフト２３の端部には、シャフト回転時の回転を付勢する図１に示すバランスウエイト５３が接続され、バランスウエイト５３はスラットカーテン５の始動時や停止時の速度を調節するよう働く。バランスウエイト５３の重力は、スラットカーテン５の最下部端に作用し、ベルト３９、上側案内プーリー４０、下側案内プーリー４２、滑車４４によって伝達される。ベルト３９の一方端はスラットカーテン５の最下端部に固定され、他方端は両プーリ４０，４２に近接したサイドフレーム３０，３０側に固定される。
【００４１】
ベルト３９は、スラットカーテン５の高さの約３／４の高さに固定された案内プーリー４０，４２の間を通り、スラットカーテン５の最下端部に固定されている。つまり、スラットカーテン５の最下端部が案内プーリー４２の下側にあるとき、バランスウエイト５３の重力は上方向に作用するので、スラットカーテン５を開く過程では加速効果があり、他方、スラットカーテン５を閉じる過程では減速効果がある。ベルト３９の固定点がプーリー４２の高さより上に来ると、ベルト３９の力は下方方向に作用し、その結果、スラットカーテン５の開放が減速される。
【００４２】
また、巻き上げられていない部分のスラットカーテン５の重量を補償するために、シャフト２３には巻付ドラム３８が固定され、この巻付ドラム３８にはベルト５５の一方端が取り付けられている。ベルト５５の他方端は、図示しない案内プーリーを経由してテンションスプリング５７に取り付けられている。巻付ドラム３８へのベルト５５の巻き方向は、スラットカーテン５が巻き上げられているとき、ベルト５５が巻き解かれるようにセットされている。従って、スラットカーテン５が巻き上げられると、巻き取られていないスラットカーテン５の重量が減少するのと同時に、テンションスプリング５７が短くなり、スプリング張力もこれに伴って減少するようになっている。
【００４３】
シャッター装置１００では、スラット５ａの両端のみが巻取板２９，２９によって支持されて巻かれ、また、スラット５ａ同士は連結状態でないことから、特に高速での巻き取り時に、スラットカーテン５の幅方向中央部が遠心力によってたる状に膨らむ巻き太りが発生する。このような巻き太りを抑止するためにシャッター装置１００には巻取調整機構としてのテンション装置６１が設けられている。
【００４４】
テンション装置６１は、ベルト６３と、ベルト巻取軸６５と、付勢手段としてのコイルバネ６７と、平行ブラケット６９と、ベルトガイド用ブラケット７１とを主要な構成部材として有している。
【００４５】
ベルト６３は、図２に示すように、閉鎖状態におけるスラットカーテン５の上部に一端６３ａが固定される。この固定部分は、壁１の裏側に位置して開口部３でのスラットカーテン表面には表出しない。ベルト巻取軸６５は、スラットカーテン５を巻き取るシャフト２３と同方向で開口部３の上部、好ましくはシャッターカーテン５が巻き取られた状態で互いに干渉の起きない位置に回動自在に配置される。このベルト巻取軸６５の外周には図３に示す止金具７３によってベルト６３の他端６３ｂが図２に示すようにして固定される。
【００４６】
コイルバネ６７は、ベルト巻取軸６５に外挿され、一端が平行ブラケット６９に固定されるとともに、他端がベルト巻取軸６５に固定され、ベルト巻取軸６５を回転方向に付勢し、ベルト６３に張力を付与している。これにより、テンション装置６１は、ベルト６３の巻き取り／繰り出し時にベルト６３に張力を発生させている。
【００４７】
平行ブラケット６９は、ベルト巻取軸６５を開口部３の上部に回動自在に支持固定している。固定は、平行ブラケット６９の長手方向両端に穿設された固定穴６９ａ，６９ａを介して壁１に固定、例えばネジやボルトなどで固定される。つまり、平行ブラケット６９は、収納部７とは別途に壁１に固定される。
【００４８】
ベルトガイド用ブラケット７１は、平行ブラケット６９と別体で形成され、かつ平行ブラケット６９に対し長手方向（図３の上下方向）が直交する方向で固定穴７１ａを介して開口部３の上部に固定される。ベルトガイド用ブラケット７１の下端には壁１の面に平行でかつ水平方向の軸７５によって回動自在に支持されるベルトガイドローラ７７が設けられている。
【００４９】
このベルトガイド用ブラケット７１には、図２に示すように、ベルト巻取軸６５とスラットカーテン５との間のベルト６３が掛け渡される。ベルト６３は、ベルトガイドローラ７７の下側を通り掛け渡される。従って、ベルト巻取軸６５から垂下したベルト６３は、ベルトガイドローラ７７に掛け渡されることで折り返され上向きに張架方向が転換され、スラットカーテン５へと接続されている。
【００５０】
このシャッター装置１００では、建物の躯体に水平に取り付けられた巻取機構４のシャフト２３に対して、平行となるように先ず平行ブラケット６９が建物躯体に固定される。次いで、平行ブラケット６９と別体となったベルトガイド用ブラケット７１が、この平行ブラケット６９に対し垂下方向で直交する方向の開口部３の上部壁１に離間されて固定される。従って、ベルト巻取軸６５とベルトガイドローラ７７との間では、図１に示すようにベルト６３のみが掛け渡されている。つまり、平行ブラケット６９とベルトガイド用ブラケット７１が、単独で位置決め、取付施工可能となる。
【００５１】
これにより、シャフト２３に対してベルトガイド用ブラケット７１が直交方向で高精度に配設可能となり、ベルト巻取軸６５に巻回されるベルト６３に巻きずれが発生しなくなる。
【００５２】
したがって、このシャッター装置１００によれば、テンション装置６１が設けられることによって、スラットカーテン５の側縁部がガイドレール３１から抜け出てしまったり、膨らみによって突出してしまうスラットカーテン５の幅方向中央部が収納部７の内壁面に当ることで生じる傷つきが防止され、また、膨らみによる巻き取り状態のスラット５ａの各層間での接触を防止し、さらには、スラット５ａ間に嵌め込まれて設けられているシール材の外れも防止される。
【００５３】
そして、ベルト巻取軸６５を平行ブラケット６９によって壁１に支持固定し、ベルト６３が掛け渡され、平行ブラケット６９に直交する方向で壁１に固定されるベルトガイド用ブラケット７１を、平行ブラケット６９と別体で形成したので、水平に取り付けられたシャフト２３に対して、平行となるように先ず平行ブラケット６９を壁１に固定し、次いでこの平行ブラケット６９に直交する方向でベルトガイド用ブラケット７１を壁１に固定することができ、平行ブラケット６９とベルトガイド用ブラケット７１の単独の位置決め、取付施工が可能となる。
【００５４】
これにより、従来のＬ形ブラケットのように、製造誤差や搬送途中の変形などによって、平行ブラケット６９及びベルトガイド用ブラケット７１が直角度に誤差の生じたまま取り付けられることを防止でき、巻取不良を防止しながら、製作容易性、施工性、メンテナンス性を向上させることができる。また、ベルト巻取軸６５とベルトガイドローラ７７とに張架されたベルト６３の側縁を利用して垂直が直接測定可能となるので、ベルトガイド用ブラケット７１の位置決めが容易にかつ高精度に行えるようになる。
【００５５】
なお、上記の実施の形態では、巻取調整機構であるテンション装置６１の構成として、ベルトガイド用ブラケット７１を、平行ブラケット６９の垂下方向に位置する壁１に固定させる構成例として説明したが、平行ブラケット６９に対して垂下する位置に限定することはなく、巻き取られるシャッターカーテン５に干渉しない位置であれば、任意の位置で構成してもよい。
【００５６】
第２の実施の形態
次に、本発明のシャッター装置の第２の実施の形態について説明する。
図４は第２の実施の形態の巻取調整機構の拡大斜視図、図５は同巻取調整機構の一部拡大正面図である。
なお、以下に説明するシャッター装置１００の基本的な構成については、上記第１の実施の形態と略同等の構成であり、同符号を付し説明を省略する。
【００５７】
本実施の形態の巻取調整機構としてのテンション機構１６１は、上述した第１の実施の形態のテンション装置６１と略同等の構成とされているが、上記平行ブラケット６９及びベルトガイド用ブラケット７１に替え、略Ｌ字形状のブラケット１６９を備えた構成とされ、またガイド片１７３を備えた構成となっており、これらブラケット１６９及びガイド片１７３以外については同符号を付し説明を省略する。
【００５８】
ブラケット１６９は、水平部１７０とこの水平部１７０の一端に連続するベース部としての垂直部１７１とを有する略Ｌ字形状に形成されている。水平部１７０の一端には、ベルト巻取軸６５が配設されており、このベルト巻取軸６５の軸線に直交するように垂直部１７１が延設されている。ブラケット１６９は、水平部１７０の長手方向両端及び垂直部１７１の下端となる端部に穿設された固定穴１６９ａを介して壁１に固定、例えばネジやボルトなどで固定される。つまり、ブラケット１６９は、収納部７とは別途に壁１に固定される。
【００５９】
ブラケット１６９の垂直部１７１は、水平部１７０に対し垂下方向に延出し、開口部３の上部に固定される。この垂直部１７１の下端には壁１の面に平行でかつ水平方向の軸７５によって回動自在に支持されるベルトガイドローラ７７が設けられている。
【００６０】
このブラケット垂直部１７１のベルトガイドローラ７７には、ベルト巻取軸６５とスラットカーテン５との間のベルト６３が掛け渡される。ベルト６３は、ベルトガイドローラ７７の下側を通り掛け渡される。従って、ベルト巻取軸６５から垂直部１７１に沿って垂下したベルト６３は、ベルトガイドローラ７７に掛け渡されることで折り返され上向きに張架方向が転換され、スラットカーテン５へと接続されている。
なお、図５に示すようにブラケット１６９の垂直部１７１は、ベルトガイドローラ７７に近接する中途より下端側が、細幅に形成されて、側縁部分に対向一対の段部１７４が形成されている。
【００６１】
ガイド片１７３は、ブラケット１６９の垂直部１７１に配設される。本実施の形態では、左右一対で構成され、ブラケット垂直部１７１におけるベルトガイドローラ７７にやや近接した位置となって、ベルト６３の両側縁に近接し、このベルト６３を左右から挟む位置で配設されている。このガイド片１７３の配設位置としては、ベルト巻取軸６５の軸線に対して直交する方向にベルト６３が案内されるように、すなわち図５に示すようにベルト巻取軸６５の軸線ＣＬに直交する仮想線Ｌをベルト６３の移動方向として、この仮想線Ｌに対して略等距離（図５中矢線Ｓ，Ｓ）に両ガイド片１７３が配置されることが好ましい。そして、本実施の形態では、上記した対向一対の段部１７４に配設されている。このガイド片１７３は、耐摩耗性に優れ、滑り性の良い硬質な樹脂、例えばＰＡ−６などのナイロン樹脂を素材とし、図４，５に示すように、断面半円形とされる上下方向に湾曲面となった略蒲鉾形状に形成されている。そして湾曲した表面を、互いに対向した状態でブラケット１６９の垂直部１７１に固定される。なお、このガイド片１７３のブラケット１６９への固定は、ネジ、ボルト、接着などとされ、好ましくは脱着が可能な手段とされる。各ガイド片１６９の対向する表面の間隔は、ベルト巻取部６５とベルトガイドローラ７７に掛かるベルト６３の幅長より、やや広くなるよう設定され取り付けられる。すなわち、ベルト６３とガイド片１７３とは、常時接触状態ではない。
【００６２】
なお、ブラケット１６９の垂直部１７１の下端近傍における外側部分には、図５に示すように、ベルト切断検出部１８１が設けられる。このベルト切断検出部１８１は、ブラケット１６９の外方に突出するベルトガイドローラ７７の軸端７５ａに当接或いは連結しており、ベルト６３が切断された場合に、軸７５が揺動する状態を検出して、シャッター装置１００の制御部等に検知信号等を送出するようになっている。
【００６３】
この第２の実施の形態のシャッター装置１００では、建物の躯体に水平に取り付けられた巻取機構４のシャフト２３に対して、ブラケット１６９の水平部１７０が略平行となるように建物躯体に固定され、垂直部１７１が水平部１７０に対し垂下方向で略直交する方向の開口部３の上部壁１にベルトガイドローラ７７が離間された状態となって固定される。従って、ベルト巻取軸６５とベルトガイドローラ７７との間でベルト６３が掛け渡されている。つまり、ブラケット１６９を位置決めすることでベルト巻取軸６５とベルトガイドローラ７７とが取付施工可能となる。
これにより、シャフト２３に対してベルトガイドローラ７７が略直交方向で配設可能となり、ベルト巻取軸６５に巻回されるベルト６３の巻き方向が大きくズレることがない。
【００６４】
したがって、このシャッター装置１００によれば、テンション装置１６１が設けられることによって、上記第１の実施の形態と同様に、スラットカーテン５の側縁部がガイドレール３１から抜け出てしまったり、膨らみによって突出してしまうスラットカーテン５の幅方向中央部が収納部７の内壁面に当ることで生じる傷つきが防止され、また、膨らみによる巻き取り状態のスラット５ａの各層間での接触を防止し、さらには、スラット５ａ間に嵌め込まれて設けられているシール材の外れも防止される。
【００６５】
そして、ベルト巻取軸６５とベルトガイドローラ７７とを１つのブラケット１６９によって壁１に支持固定し、ベルト６３が掛け渡される構成としたので、水平に取り付けられたシャフト２３に対して、平行となるようにブラケット１６９の水平部１７０を壁１に固定することで、垂直部１７１が直交する方向で壁１に固定することができ、ベルト巻取軸６５とベルトガイドローラ７７、及びガイド片１７３を同時に位置決め、取付施工が可能となる。
【００６６】
これにより、上述した第１の実施の形態のように、平行ブラケット６９とベルトガイド用ブラケット７１とを別体構成として、それぞれを取り付ける構成に比べ、ブラケット１６９を取り付けることで、ベルト巻取軸６５とベルトガイドローラ７７を同時に組み付けることが可能となる。そして、ベルト巻取軸６５側から見て、ベルトガイドローラ７７が正確に平行でなくても、ガイド片１７３を設けたことで、ベルト６３の巻き取り及び巻き戻し時に、その方向を補正されることとなり、設置時における水平、垂直など正確性を厳密にしなくとも、ベルト巻取軸６５へのベルト６３の巻取状態が偏心することがなくなり、巻取不良を起こすことがなくなる。そしてこのことから、ベルト６３の変形や損傷などが防止できる。また、上記のように、ガイド片１７３を設けたことでベルト巻取軸６５への巻取不良が起きにくいことから、ブラケット１６９の取付施工において、正確に行われなかった場合があっても、十分に許容することが可能となり、施工性を向上させ、すなわち、メンテナンス時においても容易なものとなる。
【００６７】
なお、上記第２の実施の形態では、巻取調整機構であるテンション装置１６１として、ブラケット１６９の水平部１７０に対する垂直部１７１の方向を、水平部１７０に対して垂下方向として壁１に固定させる構成例として説明したが、この垂直部１７１は、垂下する位置に限定することはなく、巻き取られるシャッターカーテン５に干渉しない位置であれば、任意の位置で構成してもよい。
【００６８】
また、上述した第１の実施の形態は、上記第２の実施の形態に具備されたガイド片１７３を有していない構成であるが、このガイド片１７３と同等のものを具備した構成としてもよい。すなわち、図６に示すように、ベルトガイド用ブラケット７１の上端近傍に、対向する一対のガイド片１７３、例えば上記第２の実施の形態と同様の形状の略蒲鉾形状のガイド片１７３を互いに向き合うように設け、ベルト巻取軸６５とベルトガイドローラ７７との間で、ベルト６３の偏心を防止するように構成しても良い。このような構成とすることで、上述した第１の実施の形態の効果に加え、ガイド片１７３によるベルト巻取軸６５への巻取不良などを防止することが可能となり、製作容易性、施工性、メンテナンス性の向上とともに、ベルト６３の巻き取りのムラをなくし、著しい劣化などを防いで、良好なテンション装置を得ることが可能となる。
【００６９】
さらに、上述した第１，第２の各実施の形態では、ベルト６３の構成について特に説明をしていないが、このベルト６３の素材としては、布製ベルトにゴムや樹脂をコーティングしたものや、細幅織物などとして構成される。特に細幅織物を素材とした構成のベルトの場合、例えば、ポリエステル繊維等を素材として形成され、柔軟性、屈曲性、強度、低伸縮性、耐摩耗性、耐薬品性、耐燃性などが良好なものとすることで、樹脂やゴムなどのコーティングが施されたベルトに比べ、摩耗などによる変形、或いは塵埃の発生がほとんどなく、また張力が大きく掛かった場合に癖がつくなどの不具合がなく、また、滑り性も良好となる。すなわち、細幅織物よりなるベルト６３とすることで、上記したガイド片１７３による巻取状態の補正が行われやすくなり、このベルト６３とガイド片１７３との組合せで、より巻取状態が偏ることの無いテンション装置を実現可能となる。
また、ベルト６３の素材については、上記のような素材以外に、可撓性を有し、十分な強度を備えた金属製線状体、例えばワイヤなどを繊維としてベルト状に形成する構成や、このようなワイヤなどを繊維とし、他の素材、例えば上記のような樹脂繊維とともに織り込んだものなどをベルト状に形成し、構成することとしてもよい。このような構成のベルトによれば、強度を有し、かつ真直性が良好となり、巻取状態の偏りがより減少することとなる。
【００７０】
また、上記したガイド片１７３は、上述したように、ベルトガイドローラ７７の近傍であって、ベルト巻取軸６５との間において、ブラケット１６９或いはベルトガイド用ブラケット７１に配設されることが好ましいが、図７に示すように、ベルト巻取軸６５とベルトガイドローラ７７との間にて、別体構成のブラケット１８３で構成されることとしてもよい。
すなわち、図７に示すように、対向一対のガイド片１７３を略コ字形状のガイド片用ブラケット１８３に固定した構成とし、第１の実施の形態における構成の平行ブラケット６９とベルトガイド用ブラケット７１との間に配設する構成とする。各ガイド片１７３は、ベルト６３の両側縁に位置するように配置され、好ましくは、ベルトガイド用ブラケット７１に近接した位置とする。
このような構成とすることで、平行ブラケット６９、ベルトガイド用ブラケット７１との取付施工後に、ガイド片用ブラケット１８３を配設することが可能となり、平行ブラケット６９やシャフト２３に対する水平・垂直の取付状態に、さらに補正を行ってベルト６３の巻取状態を正しく行うことが可能となり、ベルト６３の偏心など巻取不良を防止でき、また、このテンション装置の取付作業を容易なもの、すなわち施工当初から水平度、垂直度を厳密に行わなくてもガイド片１７３の配置位置でベルト巻取軸６５への巻取不良が発生しにくい構成とすることができる。
【００７１】
さらに、上記各実施の形態では、付勢手段がベルト巻取軸６５に外挿されるコイルバネ６７である場合を例に説明したが、付勢手段は、この他、ベルト巻取軸を中空軸とし、この中空軸内に内装される構成や、帯状のバネ板を螺旋状に巻いた所謂ぜんまい状のものであってもよい。
【００７２】
また、上述した実施の形態では、ガイド片１７３の形状を、断面半円形状の略蒲鉾形状とした例について述べたが、ベルト６３の移動する方向に斜面や曲面を備えた形状、例えば、ベルト６３が上述した各実施の形態のように、上下方向とされる場合には、上半部と下半部とに斜面を有するような断面台形状などとされる略角柱形状のガイド片としてもよい。また、中空形状、例えばパイプなどで構成してもよく、さらには、ブラケット自体に、ガイド片の形状を形成し、すなわち一体成形により構成されるものとしてもよい。
【００７３】
さらに、上述した実施の形態では、ガイド片１７３の配設位置を、ブラケット１７３の垂直部１７１の下側で、ベルトガイドローラ７７に近接した、ベルト巻取軸６５との間となる位置とした例について述べたが、この位置、すなわちベルト巻取軸６５から離間した位置に限ることはなく、ベルト巻取軸６５に近接した位置に配設しても良い。このガイド片１７３の位置は、ベルト６３がベルトガイドローラ７７からベルト巻取軸６５の方向に移動する際、すなわち、ベルト巻取軸６５がベルト６３を巻き取る際に、ベルト巻取軸６５から所定の距離隔てた位置にベルト６３の移動方向を補正するガイド片１７３が備えられる構成である場合に、ベルト巻取軸６５に順次巻回されるベルト６３が補正されやすいことから、すなわち、スラットカーテン５側からベルトガイドローラ７７を介して移動するベルト６３が、ベルトガイドローラ７７の位置にて、偏心してしまう場合であっても、ガイド片１７３が両側縁の位置を補正することで、ベルト巻取軸６５に達するまでに、偏心していた位置が略中心に沿うように、すなわち偏りが位置補正されることとなるので、このガイド片１７３の位置としては、好ましくは、ベルトガイドローラ７７に近接した位置が良い。
【００７４】
また、上述した実施の形態では、一対のガイド片１７３が、対向位置に配設した例としたが、千鳥配置とされても上述の効果を得ることが可能であり、さらには、対向一対のみではなく、２対、３対で構成しても良く、或いは３個所、５個所などの奇数位置にガイド片１７３を配置する構成としても良い。
【図面の簡単な説明】
【００７５】
【図１】本発明に係るシャッター装置の第１の実施の形態の概略の構成を表す正面図である。
【図２】図１に示した巻取機構の拡大側面図である。
【図３】図２に示した巻取調整機構の拡大斜視図である。
【図４】本発明に係るシャッター装置の第２の実施の形態の巻取調整機構の拡大斜視図である。
【図５】同巻取調整機構の一部拡大正面図である。
【図６】他の実施の形態の巻取調整機構を示す拡大斜視図である。
【図７】他の実施の形態の巻取調整機構を示す拡大斜視図である。
【図８】従来の巻取調整機構の斜視図である。
【符号の説明】
【００７６】
３…開口部
４…巻取機構
５…スラットカーテン
５ａ…スラット
２３…シャフト
３１…ガイドレール
６１，１６１…巻取調整機構（テンション装置）
６３…ベルト
６５…ベルト巻取軸
６７…付勢手段（コイルバネ）
６９…平行ブラケット
７１…ベルトガイド用ブラケット
７７…ベルトガイドローラ
１００…シャッター装置
１６９…ブラケット
１７１…ベース部（垂直部）
１７３…ガイド片
【図１】
2005248614.tif 000003
【図２】
2005248614.tif 000004
【図３】
2005248614.tif 000005
【図４】
2005248614.tif 000006
【図５】
2005248614.tif 000007
【図６】
2005248614.tif 000008
【図７】
2005248614.tif 000009
【図８】
2005248614.tif 000010